(57)【要約】【課題】  開錠者に応じて監視レベルの切り替えを行い、異常を感知したときには施錠中と同様に指定先に通報が行われるようにしたホームセキュリティシステムを提供する。【解決手段】  住宅には、Ｗｅｂカメラ、警報器、玄関ドアの開閉を検知する開閉センサおよび電子錠、認証が必要なときに操作される認証キー、温湿度センサ、ガス検出・警報器等が設置され、居住者のそれぞれが所持する電子キーにより電子錠の施錠又は開錠が行われる。電子錠の施錠に基づいて各種センサによる監視が実行され、開錠に基づいて監視が解除されるが、開錠者が子供又は老人であることを判定したときには監視を実行し、開錠者が子供又は老人以外であることを判定したときには監視を解除する。【選択図】        図３
2005202508.tif 000002
【特許請求の範囲】
【請求項１】
住宅に設置された複数のセンサと、ドアに取り付けられると共に居住者のそれぞれが所持する電子キーにより施錠又は開錠が行われる電子錠と、電子キーにより前記ドアの電子錠が施錠されたことに基づいて前記複数のセンサによる監視を実行し、いずれかのセンサが前記住宅における異常を検知したとき、通信回線を介して警備を委託した会社の設備、外出先の居住者の携帯端末機等に通報を行うと共に、前記電子キーに基づいて前記電子錠が開錠されたことにより前記監視を中止するサーバーとを備えたホームセキュリティシステムにおいて、
前記電子錠が開錠され、その開錠者が子供又は老人であるときには前記監視を実行し、前記開錠者が子供又は老人以外であるときには前記監視を解除することを特徴とするホームセキュリティシステム。
【請求項２】
前記開錠者が子供又は老人であることの認識は、前記電子キーに設定保存されたＩＤ又は特定の情報に基づくことを特徴とする請求項１記載のホームセキュリティシステム。
【請求項３】
前記電子錠は、認証キーによる認証の適合を条件に開錠することを特徴とする請求項１記載のホームセキュリティシステム。
【請求項４】
前記開錠者が子供又は老人であるときの前記設備又は前記携帯端末機への異常の通報は、異常発生場所における画像と、電子メールによる警報通知を含むことを特徴とする請求項１記載のホームセキュリティシステム。
【発明の詳細な説明】
【技術分野】
【０００１】
本発明は、ホームセキュリティシステムに関し、特に、家庭内に起きている異常を通信回線を介して監視センターや居住者に通知するホームセキュリティシステムに関する。
【背景技術】
【０００２】
留守中に家庭内に発生した異常、例えば、ガス漏れ、火災、不法侵入、ペットの異常等の監視を素早く検知し、適切な処置をとることは家屋の保全や犯罪防止の面で有効である。そこで、従来より、ホームセキュリティシステムが開発されている。例えば、ドア鍵の異常開錠を検知して侵入警報を発生するシステム（例えば、特許文献１参照。）、携帯電話を用いて外出先から住宅機器をオン／オフ制御したり、窓や玄関の鍵を遠隔制御によって施錠又は開錠する制御システム等が提案されている（例えば、特許文献２，３参照。）。
【０００３】
また、留守中に家庭内に発生した異常を、警備会社等に通知するのではなく、居住者が所持する携帯電話を呼び出して警報を行うシステムも提案されている（例えば、特許文献４参照。）。或いは、飼い主が不在時に家に置いてきたペットに異常や変化が生じたことを鳴き声等を検知して判断し、それに基づくペット情報および画像を通信回線を介してサーバに送信する遠隔監視制御システムも提案されている（例えば、特許文献５参照。）。
【０００４】
図４は、従来のホームセキュリティシステムを示すブロック図である。このホームセキュリティシステムは特許文献４の図３に開示されているものである。
【０００５】
家屋内には適所に炎の発生に伴う室温の異常上昇や煙の発生を検知する火災検知センサ、都市ガスやプロパンガスの漏洩に伴うガス濃度の上昇を検知するガス漏洩検知センサ、強盗などの家屋への侵入を検知する赤外線センサなどによる異常検知センサ１０１，１０２，および１０３が設置されている。
【０００６】
異常検知センサ１０１，１０２，および１０３のそれぞれには、パーソナルコンピュータ等の端末装置１０４が接続されており、端末装置１０４は、異常検知センサ１０１〜１０３が測定した実測温度、実測ガス濃度などの実測値と、正常な温度範囲、ガス濃度範囲などの設定値との比較演算処理を行う。また、端末装置１０４は、ＲＳ２３２Ｃなどの端子を介して電話会社の回線網１０５に接続されている。
【０００７】
回線網１０５には、ユーザーがホームセキュリティーの委託契約をしている警備会社の中央監視システム１０６が接続されており、委託契約先の各家庭に設置された異常検知センサ１０１〜１０３の正常／異常を常時監視している。
【０００８】
中央監視システム１０６には、回線網１０５を介して警察署や消防署等の通知先１０７が接続されている。このため、委託契約先の家庭に設置された異常検知センサ１０１〜１０３から警備会社の中央監視システム１０６に異常発生を知らせる通報が発せられると、中央監視システム１０６から警察署や消防署に通報がなされ、所轄署から当該委託先の家庭へ出動がなされる。このことにより事前に事故防止が図れ、或いは被害を最小限にくい止めることができる。
【０００９】
図４のシステムは、家庭内の要所に設置したセンサによりホームセキュリティシステムを構築するものであったが、近年、電子錠が普及し出しており、この電子錠を用いたホームセキュリティシステムも実用化されている。
【００１０】
図５は、電子錠、認証キー、各種センサ、および監視カメラを組み合わせた従来のホームセキュリティシステムを示す系統説明図である。認証キー２０１は、玄関ドア脇等に設置され、監視の開始／解除の認証、電子錠の施錠／開錠の認証等の際に用いられる。この認証キー２０１は、例えば複数のダイアルで構成されており、各々のダイアルは、例えば０〜９９の数字が刻まれており、予め設定した数値の設定により認証が行われる。電子錠に挿入される電子キー（図示せず）は、個人毎（使用者毎）に設定されたＩＤ（識別符号）等の固有の情報が内蔵されている。このような電子キーを電子錠に挿入して認証キー２０１を操作して、認証が得られれば電子キーの回転方向に応じて開錠又は施錠が行われる。
【００１１】
認証キー２０１で施錠を行った場合、監視が開始され、家庭内のドアや窓に設置された複数の開閉センサ２０２、ガス漏れ検知器、火災検知器等の防災センサ２０３、温度や湿度を検知する環境センサ２０４等が一斉に動作を開始し、監視が行われる。各センサの設置場所には、その状況を撮影するＷｅｂカメラ２０６，２０７，２０８が設置されている。
【００１２】
例えば、開閉センサ２０２が動作した場合、空き巣狙い等が侵入した可能性がある。この場合、同時に、Ｗｅｂカメラ２０６により現場の状況の撮影を開始する。そこで、警報ブザー２０５を鳴らして侵入者に警告すると共に、Ｗｅｂカメラ２０６で撮影した画像２０９を居住者が所持する携帯電話機２１２、契約先の警備会社２１３、又はマンションの管理人室２１４等の一箇所又は複数箇所に電子メールと共に伝送する。
【００１３】
また、台所等に設置された防災センサ２０３が動作した場合、連動してＷｅｂカメラ２０７が動作し、現場の状況を撮影する。この場合も、警報ブザー２０５を鳴らし、更に、ガス漏れ状況等を示すメッセージの電子メールと共にＷｅｂカメラ２０７によるガス漏れ状況、室内画像等の画像２１０を携帯電話機２１２、警備会社２１３、マンションの管理人室２１４等へ伝送する。
【００１４】
更に、居間等に設置された環境センサ２０４が動作した場合、電気ストーブや石油ストーブを動作させたまま外出するなどして、室温が異常に上昇したことが考えられる。そこで、警報ブザー２０５を鳴らすと共に、温度や湿度の測定値を示す電子メールと共にＷｅｂカメラ２０８による室内画像２１１を携帯電話機２１２、警備会社２１３、マンションの管理人室２１４等へ伝送する。
【００１５】
このように、図５のホームセキュリティシステムは、家屋内における様々な異常発生を検知し、関係者へ伝送することができるため、家が無人であっても、犯罪防止や火災等の事故を未然に防止し、或いは被害を最少限度に抑えることができる。
【特許文献１】特開２００２−１９００７０号公報
【特許文献２】特開２００１−３０９０６７号公報
【特許文献３】特開２０００−３０３７２９号公報
【特許文献４】特開２００１−２４５０６９号公報
【特許文献５】特開２００１−２７５５０９号公報
【発明の開示】
【発明が解決しようとする課題】
【００１６】
しかし、従来のホームセキュリティシステムによると、認証キー２０１で開錠を行った場合、全ての監視が解除されてしまうため、子供や老人がひとりで家屋内に居るような場合には不法侵入や災害等の異常事態に対する安全性が極めて低くなってしまうという問題がある。このような異常事態の発生時には第三者への通報が急務であるが、従来のホームセキュリティシステムでは不可能であった。
【００１７】
従って、本発明の目的は、開錠者に応じて監視レベルの切り替えを行い、異常を感知したときには施錠中と同様に指定先に通報が行われるようにしたホームセキュリティシステムを提供することにある。
【課題を解決するための手段】
【００１８】
本発明は、上記の目的を達成するため、住宅に設置された複数のセンサと、ドアに取り付けられると共に居住者のそれぞれが所持する電子キーにより施錠又は開錠が行われる電子錠と、電子キーにより前記ドアの電子錠が施錠されたことに基づいて前記複数のセンサによる監視を実行し、いずれかのセンサが前記住宅における異常を検知したとき、通信回線を介して警備を委託した会社の設備、外出先の居住者の携帯端末機等に通報を行うと共に、前記電子キーに基づいて前記電子錠が開錠されたことにり前記監視を中止するサーバーとを備えたホームセキュリティシステムにおいて、前記電子錠が開錠され、その開錠者が子供又は老人であることを判定したときには前記監視を実行し、前記開錠者が子供又は老人以外であることを判定したときには前記監視を解除することを特徴とするホームセキュリティシステムを提供する。
【００１９】
前記開錠者が子供又は老人であることの認識は、前記電子キーに設定保存されたＩＤ又は特定の情報に基づくことができ、これにより、容易に子供又は老人を認識することができる。
【００２０】
前記電子錠は、認証キーによる認証の一致を条件に開錠する構成にすることができる。これにより、電子錠のみを使用する場合に比べて安全性を高めることができる。
【００２１】
前記開錠者が子供又は老人であるときの前記設備又は前記携帯端末機への異常の通報は、異常発生場所における画像と、電子メールによる警報通知を含むことが好ましい。これにより、発生した異常内容を可視的に確実に把握できるようになる。
【発明の効果】
【００２２】
本発明のホームセキュリティシステムによれば、電子錠が開錠されたとき、その開錠者が子供又は老人であることを判定したときには前記監視を実行し、前記開錠者が子供又は老人以外であることを判定したときには前記監視を解除するようにしたので、保護者や介護者が家におらず、不測の事態が生じる可能性が高い場合でも、開錠の有無にかかわらずセキュリティシステムによる監視が行われるので、被害等を最小限にくい止めたり、事故や事件に迅速に対応することが可能になる。
【発明を実施するための最良の形態】
【００２３】
以下、本発明の実施の形態について図面を基に説明する。
図１は、本発明の実施の形態に係るホームセキュリティシステムを示す全体図である。ホームセキュリティシステム１は、家屋側設備１０と、インターネット２０と、受信側設備３０とからなる。受信側設備３０内の機器は、有線又は無線を介してインターネット２０に接続される。
【００２４】
家屋側設備１０は、家屋内に設置された各種センサを管理すると共に受信側設備３０との通信を実行するセンササーバ１１と、室内の状況等を撮像するＷｅｂカメラ１２と、異常発生時に警報を発するブザー等による警報器１３と、玄関ドア１５の開閉を検知する開閉センサ１４と、玄関ドア１５の錠前装置１５Ａ（１５Ｂはノブ）に取り付けられていると共に電子キーにより施錠／開錠が行われる電子錠１６と、施錠／開錠や監視の開始／停止等の認証が必要な時に操作される認証キー１７と、室内の温度および湿度を検知する温湿度センサ１８と、ガス漏れを検知するガス検出・警報器１９とを備えている。Ｗｅｂカメラ１２、開閉センサ１４、電子錠１６、および温湿度センサ１８は、各１台のみを示したが、任意数にすることができる。
【００２５】
なお、電子キーは在来のシリンダ錠に使われるキーと同様の形状をしたもので個人情報を記憶させたものを用いているが、これに代えてＩＣカード、ＩＤカード等も使用可能である。この場合、電子錠１６も上記カードが適用可能な構造および仕様にする必要がある。本実施の形態においては、上記したカードおよびシリンダ錠に用いるタイプも含め、総称して電子キーと称する。
【００２６】
受信側設備３０は、家屋側設備１０が設置された家に住む居住者が所持するＰＤＡ（Personal Digital Assistant）装置３１又は（および）携帯電話機３２と、警備会社の監視センター３３と、居住者が所持するノートパソコン３４等を含んでいる。
【００２７】
図２は、センササーバ１１の詳細構成を示すブロック図である。センササーバ１１は、全体を制御するＣＰＵ１１ａと、ＣＰＵ１１ａに接続されたアドレスバス１１ｂと、ＣＰＵ１１ａに接続されたデータバス１１ｃと、ＣＰＵ１１ａに接続されたコントロールバス１１ｄと、ＪＡＶＡ（登録商標）仕様のプログラムが格納されたＲＯＭ１１ｅと、処理結果等が一時的に格納されるＲＡＭ１１ｆと、前記各種センサとの接続を行うインターフェース部１１ｇと、Ｗｅｂカメラ１２からの画像信号を記憶する画像メモリ１１ｈと、画像メモリ１１ｈに格納されている画像データに対して符号化の処理を行う符号化部１１ｉと、ＴＣＰ／ＩＰ等のプロトコルに従ってインターネット２０との通信制御を行う回線制御部１１ｊとを備えて構成されている。
【００２８】
図３は、本発明の実施の形態における動作の流れを示すフローチャートである。図中のフローチャートのＳは、ステップを表している。図１〜図３を参照して本発明の実施の形態に係るホームセキュリティシステム１の動作を説明する。
【００２９】
まず、家人が外出するなどして、図１に示す認証キー１７の操作および電子キーによって電子錠１６が施錠されると（Ｓ１０１）、電子錠１６からの信号が図２のインターフェース部１１ｇを通してセンササーバ１１に取り込まれる。ＣＰＵ１１ａは、電子錠１６および認証キー１７からの信号によって家屋内が無人になったことを判断し、屋内外の監視を開始させる（Ｓ１０３）。
【００３０】
一方、家族の誰かが帰宅し、認証キー１７の操作および電子キーの挿入操作により電子錠１６が開錠された場合、使用された鍵のＩＤ等から鍵の持ち主が自立した成人か、保護者や介護者を必要とする子供や老人かを認識することができる（Ｓ１０２）。しかも、それまで電子錠１６が施錠されていたことから、子供や老人が帰宅した時点では、家屋が留守で誰も居なかったことになる。つまり、子供や老人だけが帰宅した状態であることを認識できる。家屋内に居るのが子供や老人だけの場合、ストーブを倒したり、子供のマッチやガスライターの悪戯による火災発生、或いは開錠状態のドアから他人が侵入したとき、殆ど対応がとれず、大事に至ることが考えられる。
【００３１】
そこで、このような場合には監視を継続し、施錠中と同じ監視を実施する（Ｓ１０３）。なお、開錠した者が子供や老人以外であれば、監視は不要であると見なし、監視を解除する（Ｓ１０９）。その後、施錠が行われたか否かを監視し、施錠が行われた場合には（Ｓ１１０）、処理をＳ１０３に戻し、以降の処理を実行する。
【００３２】
監視中に、例えば開閉センサ１４が動作したとすると、家族以外の者が外部からドアを開けた可能性がある。開閉センサ１４の検出信号は、インターフェース部１１ｇを介してセンササーバ１１に取り込まれる。センササーバ１１のＣＰＵ１１ａは異常発生を判断し（Ｓ１０４）、警報器１３を鳴らす（設定時間又はリセットされるまで）と共に（Ｓ１０５）、Ｗｅｂカメラ１２によるドア内側周辺の画像撮影を開始する。撮影画像は画像メモリ１１ｈに取り込まれ、符号化部１１ｉで符号化が行われる。この画像データと状況を知らせるメッセージのメールが送信データとして作成され（Ｓ１０６）、また、受信先を指定することにより、回線制御部１１ｇを介してインターネット２０へ送出される。
【００３３】
インターネット２０へ送出され送信データは、指定された受信先、例えば警備会社の監視センター３３へ送られる（Ｓ１０７）。警備会社では、センササーバ１１からの通知に対し、警備員を派遣し、あるいは警察に連絡する等の処置をとる。これにより、被害等を最小限にくい止めたり、事故や事件に迅速に対応することが可能になる。
【００３４】
センササーバ１１が一旦異常を判断すると、警報器１３の動作時間が設定されていない場合、警報音が鳴り続ける状態になる。これを止めるには、居住者、警備員、警察官等がセンササーバ１１のリセットボタン（図示せず）を押して止めればよい（Ｓ１０８）。或いは、センササーバ１１の電源を一旦オフにすればよい。
【００３５】
上記の説明は、開錠に伴う処理であったが、次に、施錠を行った場合の処理を説明する。この場合は、家族のいずれかが玄関ドアに鍵をかけて施錠すると（Ｓ１０１）、直ちに監視が開始される（Ｓ１０３）。以後、異常の発生の有無（Ｓ１０４）と、開錠の発生の有無（Ｓ１０１）を定期的に監視する。開錠があった場合にはＳ１０２のチェックを行い、上記したようにして子供、老人の開錠であった場合には、監視を行うようにする。また、異常の発生に対してはＳ１０４〜Ｓ１０７の一連の処理を実行する。
【００３６】
なお、警備会社の監視センター３３への通報は、警備会社と居住者との間で契約が交わされている場合であり、契約が無い場合には、居住者が所持するＰＤＡ装置３１、携帯電話機３２と、居住者が所持するノートパソコン３４等に限られ、警察への通報はセンササーバ１１からの通報を入手した人が行うことになる。
【００３７】
また、図１に示したセンサの種類は一例に過ぎず、建物の構造、住人の希望等に応じて任意にセンサの種類を選ぶことができる。例えば、家屋内の配線に大電流が流れているか否かを検出する電流センサ、漏電を検知する漏電センサ、酸素濃度センサ、壁紙等からの有害ガスを検知するための有害ガスセンサ、井戸水のｐＨを検知するｐＨセンサ等がある。
【００３８】
また、上記した実施の形態では、子供や老人と、それ以外の開錠者に対して監視レベルの切り替えを行う構成を説明したが、開錠者の構成については上記したものに限定されず、例えば、健常者と非健常者、女性と男性、親と子供、あるいは父親とその他家族というように任意に監視レベルを設定することができる。
【００３９】
更に、Ｗｅｂカメラ１２による撮影画像は、実態を把握するためには動画が好ましいが、受信側がＰＤＡ装置３１や携帯電話機３２では、動画を表示できない場合がある。このような場合に対処できるように、受信先の機器仕様に応じて静止画を選択するようにしてもよい。
【００４０】
また、図１の構成においては、センササーバ１１、インターネット２０を経て携帯電話機３２に接続するものとしたが、インターネット２０を通さずに携帯電話機３２と通信することも可能である。この場合、センササーバ１１に電話機を接続し、携帯電話機３２の電話番号を呼び出す構成にすればよい。すなわち、有線電話回線網と移動電話回線網を接続する通信形態にすればよい。
【００４１】
また、居住者が所持する携帯端末として、携帯電話機とＰＤＡ装置を例示したが、これに限定されるものではなく、インターネット、有線電話回線網、又は移動電話回線網を通して接続できるものであればよく、例えば、ＰＨＳ電話機や自動車電話機であってもよい。
【００４２】
更に、上記実施の形態においては、電子キー、更には認証キーにより開錠者が子供や老人であることを特定したが、その他の方法として、Ｗｅｂカメラ１２による撮影画像から判断する構成にしてもよい。例えば、予め家族全員の身長等の身体的特徴や、動作的特徴（腰が曲がっている、子供で走り回る等）を画像データとして保持しておき、監視中（異常発生を問わず）に視野範囲内に入った人物を撮影し、前記画像データと比較することにより特定することができる。あるいは、声から特定してもよい。子供の声は甲高く、老人の声は低音成分が多い等の特徴を有するので、子供や老人を特定し易い。
【図面の簡単な説明】
【００４３】
【図１】本発明の実施の形態に係るホームセキュリティシステムを示す全体図である。
【図２】センササーバの詳細構成を示すブロック図である
【図３】本発明の実施の形態における動作の流れを示すフローチャートである。
【図４】従来のホームセキュリティシステムを示すブロック図である。
【図５】電子錠、各種センサ、および監視カメラを組み合わせた従来のホームセキュリティシステムを示す系統説明図である。
【符号の説明】
【００４４】
１  ホームセキュリティシステム
１０  家屋側設備
１１  センササーバ
１１ａ  ＣＰＵ
１１ｂ  アドレスバス
１１ｃ  データバス
１１ｄ  コントロールバス
１１ｅ  ＲＯＭ
１１ｆ  ＲＡＭ
１１ｇ  インターフェース部
１１ｈ  画像メモリ
１１ｉ  符号化部
１１ｊ  回線制御部
１２  Ｗｅｂカメラ
１３  警報器
１４  開閉センサ
１５  玄関ドア
１５Ａ  錠前装置
１５Ｂ  ノブ
１６  電子錠
１７  認証キー
１８  温湿度センサ
１９  ガス検出・警報器
２０  インターネット
３０  受信側設備・機器
３１  ＰＤＡ装置
３２  携帯電話機
３３  監視センター
３４  ノートパソコン
１０１，１０２，１０３  異常検知センサ
１０４  端末装置
１０５  回線網
１０６  中央監視システム
１０７  通知先
２０１  認証キー
２０２  開閉センサ
２０３  防災センサ
２０４  環境センサ
２０５  警報ブザー
２０６，２０７，２０８  Ｗｅｂカメラ
２０９，２１０，２１１  画像
２１２  携帯電話機
２１３  警備会社
２１４  管理人室
【図１】
2005202508.tif 000003
【図２】
2005202508.tif 000004
【図３】
2005202508.tif 000005
【図４】
2005202508.tif 000006
【図５】
2005202508.tif 000007